(57)【要約】  環状マトリックスシステムは、マトリックスバンド（１０）と、ハンドル（１２）、ハウジング（１６）、及びベース（１８）を有するボディ（１４）と、ハンドル（１２）に取り付けられるボディ（１４）内のスピンドル（２２）とを備え、マトリックスバンド（１０）の一方の端はスピンドル（２２）に恒久的に付着され、マトリックスバンド（１０）の別の端はハウジングの内壁（１６）に恒久的に付着される。【選択図】図２
2019509095.tif 000002
【特許請求の範囲】
【請求項１】
環状マトリックスシステムであって、
マトリックスバンドと、
ハンドル、ハウジング、及びベースを有するボディと、
前記ハンドルに取り付けられる、前記ボディ内のスピンドルと、
を備え、前記マトリックスバンドの一方の端は前記スピンドルに恒久的に付着され、前記マトリックスバンドの別の端は前記ハウジングの内壁に恒久的に付着される、
環状マトリックスシステム。
【請求項２】
前記環状マトリックスシステムが使用されているときに涙形の形状の細い端が解剖学的フィットをもたらすように、前記ボディが涙形の形状を有する、請求項１に記載の環状マトリックスシステム。
【請求項３】
前記マトリックスバンドが形状設定される、請求項１に記載の環状マトリックスシステム。
【請求項４】
前記マトリックスバンドがコーティングされる、請求項１に記載の環状マトリックスシステム。
【請求項５】
前記マトリックスバンドがコーティングされない、請求項１に記載の環状マトリックスシステム。
【請求項６】
環状マトリックスシステムであって、
マトリックスバンドと、
ハンドル及びハウジングを有するボディと、
前記ハンドルに取り付けられる、前記ボディ内のスピンドルと、
を備え、前記マトリックスバンドの一方の端は前記スピンドルに恒久的に付着され、前記マトリックスバンドの別の端は前記ハウジングの内壁に恒久的に付着される、
環状マトリックスシステム。
【請求項７】
前記環状マトリックスシステムが使用されているときに涙形の形状の細い端が解剖学的フィットをもたらすように、前記ボディが涙形の形状を有する、請求項１に記載の環状マトリックスシステム。
【請求項８】
前記ハウジングが、熱かしめ部を用いて前記マトリックスバンドの周りで閉じられる、請求項１に記載の環状マトリックスシステム。
【発明の詳細な説明】
【技術分野】
【０００１】
本明細書で開示されるのは、歯の修復に用いるための環状マトリックスバンドシステムである。
【背景技術】
【０００２】
環状マトリックスバンド及びマトリックスバンドの使用は、よく知られており、歯科用保存学で広く用いられている。従来技術での環状バンドに伴う１つの問題は、環状バンドが締め付けられると除去される又はマトリックスバンド上の張力を保持するべく修復手技中に定位置に残される、テンショナを必要とすることである。いずれの場合も、修復手技は張力装置の存在により制限される。
【０００３】
米国特許第６，２３４，７９３号は、歯の修復手技中に用いられる歯科用マトリックスバンドを開示する。マトリックスバンドは、修復を必要とする歯と接触する状態で配置される平滑な内側面を有する。その外側面上には、その面の少なくとも一部であり、増加した摩擦を与えるように構成される、摩擦係合面がある。このようなマトリックスバンドは、摩擦係合面が歯間の空隙又は空間に面する状態で、修復されるべき歯の周りに配置される。次いで、歯科用マトリックスバンドを修復される歯に対して静止した状態に保持するべく、歯科用ウェッジを、その空隙へ摩擦係合面に接する状態に挿入することができる。摩擦係合面は、歯科用ウェッジが摩擦係合面に接した状態で位置決めされると空隙から滑り出る可能性があまりないように十分に粗く、これにより、医師が自信をもって修復を進めることができるように、マトリックスバンドが歯科用ウェッジによって確実に定位置にしっかりと保持されることになる。マトリックスバンドは、ステンレス鋼などの不透明な材料から又は少なくとも半透明の材料から形成され得る。
【０００４】
米国特許第５，６２６，４７５号は、ケーシングに対して回転可能なピンを収容するケーシングを有し、ピンが、歯科用マトリクスを解放可能に受け入れるための及びケーシングに対するピンの回転時にマトリクスを歯の周りに締め付けるためのスロットを内部に有する、歯科用マトリクステンショナを開示する。ケーシングに対してピンを回転させるための装置は、細長い組立体と、ケーシングの外側部分をグリップするべく１つの方向に、及びこれらのケーシングの外側部分を解放するべく反対方向に、組立体の縦方向にスライド可能な部材とを備え、これにより、回転装置をケーシングと組み立てられた関係性に選択的に解放可能に保持する。縦方向にスライド可能な部材はまた、回転可能であり、且つ、スライド可能な部材の回転時にピンを回転させるべくピンと選択的に係合可能である。スライド可能且つ回転可能な部材は、非円形の端を有し、該端は、ピンの非円形の凹部に挿入され、摺動部材が回転させられるとすぐに、ピンの非円形の凹部に取り外し可能に嵌合し、ピンがケーシングに対して回される。
【０００５】
米国特許第５，５６２，２７５号は、すべて同じ長さのワイヤの複数の螺旋渦巻（ｈｅｌｉｃａｌ  ｓｐｉｒａｌ）によって構成される、トルク並びに軸スラストを伝達するのに適する、可撓スピンドルを開示する。各渦巻は、隣接する渦巻の巻き方向とは反対の巻き方向を有し、各渦巻の外径は、これを取り囲む渦巻の内径に等しい。渦巻の末端は、互いと及び最も内側の渦巻の内部に存在する可撓部材の末端と一体に組み立てられる。各渦巻は、これらがそれらの屈曲した作動位置にあり、且つそれらがトルク及びスラストを伝達するように設計される条件下にあるときに、それらの軸線に沿って測定された場合に他の渦巻と同じ長さを有し、結果的に、可撓スピンドルは、応力下にあるときに半径方向に又は縦方向に変形可能ではなく、したがって力をロスなく伝達する。
【０００６】
米国特許第５，０５５，０４５号は、クランプからマトリックスバンドを完全には解放せずにマトリックスバンドが歯の上のその締め付け位置から係止解除されることを可能にし、マトリックスバンドが再設定のための除去を伴って異なる口腔象限に適応するように旋回されることを可能にし、歯からのマトリックスバンドの迅速な後退（ｒｅｔｒａｃｔｉｏｎ）を可能にし、且つ締め付け過ぎる可能性を回避するためにマトリックスバンドの歯の上の慎重な締め付けを可能にするプラスチックのマトリクスリテーナクランプを含む、歯科用マトリクスリテーナパッケージを開示する。パッケージは、患者での使用後にすべて廃棄されなければならないように設計され、これにより、交差汚染に対する最大限の保証をもたらす。
【０００７】
米国特許第８，５１７，７３２号は、細長いボディと、ボディの一端で突き出るループを形成するようにボディに対してマウント可能なマトリックスバンドとを含む歯科用マトリクスクランプを開示する。クランプは、ループを締め付けるべくバンド上で動作可能な張力装置と、クランプに対して傾斜した構造をもたらすべくバンドと係合するデフレクタ部材とを有する。デフレクタ部材は、バンドの相対する周辺部分に当接する対向位置間で、バンドにわたって横方向に調節可能である。クランプは、充填材料の保持及び成形のために歯の周りにバンドをクランプするのに歯科学で用いられる手持ち式の装置である。
【発明の概要】
【０００８】
いくつかの実施形態において、開示されるのは、マトリックスバンドと、ハンドル、ハウジング、及びベースを有するボディと、ハンドルに取り付けられる、ボディ内のスピンドルとを有する、環状マトリックスシステムである。マトリックスバンドの一方の端は、スピンドルに恒久的に付着され、マトリックスバンドの他方の端はまた、ハウジングの内壁に恒久的に付着される。
【０００９】
本明細書で開示される環状マトリックスシステムは、当該技術分野に既にあるマトリックスシステムを上回る多くの利点を有する。例えば、本明細書で開示される環状マトリックスシステムは、システム全体が患者の口の中にフィットすることができるように小型であり、アプリケータを必要とせず、締め付けること、緩めること、及びユーザへの触覚フィードバックを可能にする係止装置を含む。
【図面の簡単な説明】
【００１０】
【図１】本明細書で開示される環状マトリックスシステムを実証する図である。
【図２】本明細書で開示される環状マトリックスシステムの部分分解図を実証する図である。
【図３】本明細書で開示される環状マトリックスシステム内のマトリックスバンドの内部位置を実証する図である。
【図４】本明細書で開示される環状マトリックスシステムへ形成される前のマトリックスバンドを実証する図である。
【図５】ハウジングの運動が示される下面図から本明細書で開示される環状マトリックスシステムを実証する図である。
【図６】ハウジングの運動が示される上面図から本明細書で開示される環状マトリックスシステムを実証する図である。
【図７】本明細書で開示される環状マトリックスシステムの別の実施形態を実証する図である。
【図８】ハンドルの回転方向を実証する本明細書で開示される環状マトリックスシステムのさらに別の実施形態を実証する図である。
【図９Ａ】単一半径の湾曲を有するバンド外形を実証する図である。
【図９Ｂ】単一スプライン曲線部と直線部を有するバンド湾曲を実証する図である。
【図９Ｃ】図９Ｂとは異なる単一スプライン曲線部と直線部を有する別のバンド湾曲を実証する図である。
【図１０Ａ】本明細書で開示される環状マトリックスシステムの一実施形態内のマトリックスバンドの内部位置を実証する図である。
【図１０Ｂ】本明細書で開示される環状マトリックスシステムの一実施形態のハウジングの内部構造を実証する図である。
【図１１】本明細書で開示される環状マトリックスシステムの一実施形態へ形成される前のマトリックスバンドを実証する図である。
【発明を実施するための形態】
【００１１】
図１は、使用前の本明細書で説明される環状マトリックスシステムを示す。マトリックスバンド１０は、任意の公知の従来のマトリックスバンドと同じ材料で作製することができる。このマトリックスバンド１０は、Ｔｅｆｌｏｎ（登録商標）又は参照により本明細書に組み込まれる米国特許第８，７４７，８３１号で説明されるような抗菌性材料などの任意の適切な材料でコーティングされてよく、又はされなくてもよい。いくつかの実施形態において、このマトリックスバンド１０は、歯の一般的な解剖学的形状にいくらか対応するように、例えば図１に示されるように形状設定されてよい。
【００１２】
本明細書で開示される環状マトリックスシステム１のボディ１４は、ハンドル１２、ハウジング１６、及びベース１８を含む。ボディのハンドル１２は、歯の周りに配置されたときにマトリックスバンド１０をよりきつく巻くために、回されてよい。この動きは、図５及び図６によりよく示されている。ボディのハウジング１６及びベース１８は、患者の歯に接してより良好に配置されるように概して涙形の形状を有する。マトリックスバンド１０が歯の周りに締め付けられると、マトリックスバンドを定位置に保持するのに保持リングは一般に必要とされない。しかしながら、保持リング（図示せず）は、作用を及ぼす歯と隣接する歯との間に間隔を与えるために必要な場合がある。
【００１３】
図７は、本明細書で開示される環状マトリックスシステムの別の実施形態を実証する。図７のマトリックスシステム２００では、ハウジング１１６は、ベースを含まない。具体的には、マトリックスシステム２００のハウジング１１６は、図１０Ｂで実証されるようによりクラムシェル状の構造体として形成され、この場合、マトリックスバンド１０を環状マトリックスシステム２００のハウス１１６内に封入するのに熱かしめ部１００が用いられる。この実施形態の熱かしめ部１００は、オス部１００ａとメス部１００ｂから作製される。図７及び図８によって実証されるように、熱かしめ部１００は、ハウジング１１６が適正に閉じられ、且つ内部のマトリックスバンド１０の配置に干渉しない限り、ハウジング１１６上に適切な構成で配置することができる。
【００１４】
図２は、環状マトリックスシステム１のボディ１４の部分分解図を実証する。ハウジングは、環状マトリックスシステム１のボディが形成されるようにベース１８の孔２４へ付着されるタブ２０を含む。図２で分かるように、ハンドル１２は、マトリックスバンド１０を歯の周りに締め付ける際にユーザを支援するべくグリップ３４を含む。ハンドル１２が回されるときに、ハウジング内のスピンドル２２がマトリックスバンド１０の締め付けをもたらす。図３で見られるように、マトリックスバンド１０は、位置３２でスピンドル２２に取り付けられる。スピンドル２２がユーザによって回されるときに、マトリックスバンド１０はまた、ボディ１４の内部でスピンドル２２の周りに巻かれ、これにより、マトリックスバンドが歯の周りに締め付けられる。マトリックスバンド１０の他方の端３０は、図３に示すようにハウジングへモールドされる。マトリックスバンド１０のこの端は移動可能ではないので、マトリックスバンド１０を、スピンドル２２を中心として巻くことができる。
【００１５】
図４は、どのようにしてマトリックスバンド１０がスピンドル２２に取り付けられ、ハウジング１６へモールドされるかを実証する。図４のスピンドル２２は、次いで、環状マトリックスシステム１を概して形成することができるように、図３に示すようにハウジング１６の内部に配置される。図４と同様に、図１１は、どのようにしてマトリックスバンド１０がスピンドル２２に取り付けられ、ハウジング１１６へモールドされるかを実証する。図１１のスピンドル２２は、次いで、環状マトリックスシステム２００を概して形成することができるように、図１０Ｂに示すようにハウジング１１６の内部に配置される。
【００１６】
図９Ａ、図９Ｂ、及び図９Ｃに示すように、マトリックスバンド１０は、その幾何学的形状が患者の歯に適合する限り、様々な幾何学的形状に形成されてよい。例えば、図９Ａは、マトリックスバンド１０の縦方向１１９ａに沿って単一半径の湾曲１１８を有するマトリックスバンド１０を実証する。対照的に、図９Ｂは、マトリックスバンド１０の縦方向１１９ｂに沿って或る箇所での単一スプライン曲線部１２０ａと直線部１２０ｂとを有するマトリックスバンド１０を実証する。図９Ｂと同様に、図９Ｃは、マトリックスバンド１０の縦方向１１９ｃに沿って或る箇所での単一スプライン曲線１３０ａと直線１３０ｂとを有する別のマトリックスバンドの実施形態を実証する。
【００１７】
図５及び図６に示すように、いくつかの実施形態では、マトリックスバンド１０は、ハンドルを特定の方向に回すことにより締め付けられる。マトリックスバンド１０は、張力装置なしに、要求に応じて締め付ける、緩める、及び再び締め付けることができる。図５及び図６から特に明白なように、マトリックスバンド１０が締め付けられると、ボディ１４の涙形の形状は重要である。一方向の締め付けと涙形の形状により、環状マトリックスシステム１は、涙形の形状が幾分解剖学的であるため、２つの隣接歯間により良好にフィットすることができる。
【図１】
2019509095.tif 000003
【図２】
2019509095.tif 000004
【図３】
2019509095.tif 000005
【図４】
2019509095.tif 000006
【図５−６】
2019509095.tif 000007
【図７】
2019509095.tif 000008
【図８】
2019509095.tif 000009
【図９Ａ】
2019509095.tif 000010
【図９Ｂ】
2019509095.tif 000011
【図９Ｃ】
2019509095.tif 000012
【図１０Ａ】
2019509095.tif 000013
【図１０Ｂ】
2019509095.tif 000014
【図１１】
2019509095.tif 000015
【国際調査報告】
2019509095.tif 000016
2019509095.tif 000017
2019509095.tif 000018